【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
第１の記憶装置及び第２の記憶装置に記憶制御装置を介して接続される情報処理装置であって、
前記記憶制御装置をシングルモードからミラーリングモードへ移行させる指示を受け付ける受付手段と、
前記受付手段が前記指示を受け付けた際に、前記記憶制御装置のリビルド機能をオフに設定する第１の設定手段と、
前記第１の設定手段が前記記憶制御装置のリビルド機能をオフに設定した後に、前記記憶制御装置をシングルモードからミラーリングモードへ移行させる移行手段と、
前記移行手段が前記記憶制御装置をシングルモードからミラーリングモードへ移行させたことに応じて、前記第２の記憶装置を使用するか否か判断するための情報を前記第２の記憶装置から取得する取得手段と、
前記取得手段により取得された情報に基づいて、前記第２の記憶装置を使用するか否か判断する判断手段と、
前記判断手段が前記第２の記憶装置を使用すると判断した場合に、前記第１の記憶装置及び前記第２の記憶装置を用いてリビルドを開始するように制御する制御手段とを有することを特徴とする情報処理装置。
【請求項２】
前記移行手段は、前記記憶制御装置のリビルド機能がオンに設定されている場合には、前記記憶制御装置をシングルモードからミラーリングモードのリビルドステートへ移行させ、前記記憶制御装置のリビルド機能がオフに設定されている場合には、前記記憶制御装置をシングルモードからミラーリングモードのミラーステートへ移行させることを特徴とする請求項１に記載の情報処理装置。
【請求項３】
前記判断手段が前記第２の記憶装置を使用すると判断した場合に、前記記憶制御装置のリビルド機能をオンに設定する第２の設定手段を更に有することを特徴とする請求項１又は２に記載の情報処理装置。
【請求項４】
前記記憶制御装置のリビルド機能がオフに設定されている状態で前記情報処理装置の電源がオフになった場合に、次に前記情報処理装置の電源がオンになった際に前記記憶制御装置のリビルド機能をオンに設定する第３の設定手段を更に有することを特徴とする請求項１乃至３の何れか１項に記載の情報処理装置。
【請求項５】
前記制御手段は、前記記憶制御装置をミラーリングモードのミラーステートからミラーリングモードのリビルドステートへ移行させることにより、前記第１の記憶装置及び前記第２の記憶装置を用いてリビルドを開始するように制御することを特徴とする請求項１乃至４の何れか１項に記載の情報処理装置。
【請求項６】
前記判断手段が前記第２の記憶装置の使用を許可しないと判断した場合に、エラーを通知する通知手段を更に有することを特徴とする請求項１乃至５の何れか１項に記載の情報処理装置。
【請求項７】
第１の記憶装置及び第２の記憶装置に記憶制御装置を介して接続される情報処理装置であって、
前記記憶制御装置から記憶装置が取外されたことを検知する第１の検知手段と、
前記第１の検知手段が前記記憶制御装置から記憶装置が取外されたことを検知した際に、前記記憶制御装置のリビルド機能をオフに設定する第１の設定手段と、
前記第１の設定手段が前記記憶制御装置のリビルド機能をオフに設定した後に、前記記憶制御装置に第２の記憶装置が接続されたことを検知する第２の検知手段と、
前記第２の検知手段が前記記憶制御装置に第２の記憶装置が接続されたことを検知したことに応じて、前記第２の記憶装置を使用するか否か判断するための情報を前記第２の記憶装置から取得する取得手段と、
前記取得手段により取得された情報に基づいて、前記第２の記憶装置を使用するか否か判断する判断手段と、
前記判断手段が前記第２の記憶装置を使用すると判断した場合に、前記第１の記憶装置及び前記第２の記憶装置を用いてリビルドを開始するように制御する制御手段とを有することを特徴とする情報処理装置。
【請求項８】
前記記憶制御装置のリビルド機能がオンに設定されている状態で、前記第２の検知手段が前記記憶制御装置に第２の記憶装置が接続されたことを検知した場合に、前記記憶制御装置をミラーリングモードのデグレードステートからミラーリングモードのリビルドステートへ移行させる移行手段を更に有することを特徴とする請求項７に記載の情報処理装置。
【請求項９】
前記判断手段が前記第２の記憶装置を使用すると判断した場合に、前記記憶制御装置のリビルド機能をオンに設定する第２の設定手段を更に有することを特徴とする請求項７又は８に記載の情報処理装置。
【請求項１０】
前記記憶制御装置のリビルド機能がオフに設定されている状態で前記情報処理装置の電源がオフになった場合に、次に前記情報処理装置の電源がオンになった際に前記記憶制御装置のリビルド機能をオンに設定する第３の設定手段を更に有することを特徴とする請求項７乃至９の何れか１項に記載の情報処理装置。
【請求項１１】
前記制御手段は、前記記憶制御装置をミラーリングモードのデグレードステートからミラーリングモードのリビルドステートへ移行させることにより、前記第１の記憶装置及び前記第２の記憶装置を用いてリビルドを開始するように制御することを特徴とする請求項７乃至１０の何れか１項に記載の情報処理装置。
【請求項１２】
前記判断手段が前記第２の記憶装置の使用を許可しないと判断した場合に、エラーを通知する通知手段を更に有することを特徴とする請求項７乃至１１の何れか１項に記載の情報処理装置。
【請求項１３】
第１の記憶装置及び第２の記憶装置に記憶制御装置を介して接続される情報処理装置の制御方法であって、
前記記憶制御装置をシングルモードからミラーリングモードへ移行させる指示を受け付ける受付工程と、
前記受付工程で前記指示を受け付けた際に、前記記憶制御装置のリビルド機能をオフに設定する第１の設定工程と、
前記第１の設定工程が前記記憶制御装置のリビルド機能をオフに設定した後に、前記記憶制御装置をシングルモードからミラーリングモードへ移行させる移行工程と、
前記移行工程で前記記憶制御装置をシングルモードからミラーリングモードへ移行させたことに応じて、前記第２の記憶装置を使用するか否か判断するための情報を前記第２の記憶装置から取得する取得工程と、
前記取得工程により取得された情報に基づいて、前記第２の記憶装置を使用するか否か判断する判断工程と、
前記判断工程で前記第２の記憶装置を使用すると判断した場合に、前記第１の記憶装置及び前記第２の記憶装置を用いてリビルドを開始するように制御する制御工程とを有することを特徴とする情報処理装置。
【請求項１４】
第１の記憶装置及び第２の記憶装置に記憶制御装置を介して接続される情報処理装置の制御方法であって、
前記記憶制御装置から記憶装置が取外されたことを検知する第１の検知工程と、
前記第１の検知工程で前記記憶制御装置から記憶装置が取外されたことを検知した際に、前記記憶制御装置のリビルド機能をオフに設定する第１の設定工程と、
前記第１の設定工程で前記記憶制御装置のリビルド機能をオフに設定した後に、前記記憶制御装置に第２の記憶装置が接続されたことを検知する第２の検知工程と、
前記第２の検知工程で前記記憶制御装置に第２の記憶装置が接続されたことを検知したことに応じて、前記第２の記憶装置を使用するか否か判断するための情報を前記第２の記憶装置から取得する取得工程と、
前記取得工程により取得された情報に基づいて、前記第２の記憶装置を使用するか否か判断する判断工程と、
前記判断工程で前記第２の記憶装置を使用すると判断した場合に、前記第１の記憶装置及び前記第２の記憶装置を用いてリビルドを開始するように制御する制御工程とを有することを特徴とする情報処理装置。
【請求項１５】
第１の記憶装置及び第２の記憶装置に記憶制御装置を介して接続される情報処理装置に、
前記記憶制御装置をシングルモードからミラーリングモードへ移行させる指示を受け付ける受付工程と、
前記受付工程で前記指示を受け付けた際に、前記記憶制御装置のリビルド機能をオフに設定する第１の設定工程と、
前記第１の設定工程が前記記憶制御装置のリビルド機能をオフに設定した後に、前記記憶制御装置をシングルモードからミラーリングモードへ移行させる移行工程と、
前記移行工程で前記記憶制御装置をシングルモードからミラーリングモードへ移行させたことに応じて、前記第２の記憶装置を使用するか否か判断するための情報を前記第２の記憶装置から取得する取得工程と、
前記取得工程により取得された情報に基づいて、前記第２の記憶装置を使用するか否か判断する判断工程と、
前記判断工程で前記第２の記憶装置を使用すると判断した場合に、前記第１の記憶装置及び前記第２の記憶装置を用いてリビルドを開始するように制御する制御工程とを実行させるためのプログラム。
【請求項１６】
第１の記憶装置及び第２の記憶装置に記憶制御装置を介して接続される情報処理装置に、
前記記憶制御装置から記憶装置が取外されたことを検知する第１の検知工程と、
前記第１の検知工程で前記記憶制御装置から記憶装置が取外されたことを検知した際に、前記記憶制御装置のリビルド機能をオフに設定する第１の設定工程と、
前記第１の設定工程で前記記憶制御装置のリビルド機能をオフに設定した後に、前記記憶制御装置に第２の記憶装置が接続されたことを検知する第２の検知工程と、
前記第２の検知工程で前記記憶制御装置に第２の記憶装置が接続されたことを検知したことに応じて、前記第２の記憶装置を使用するか否か判断するための情報を前記第２の記憶装置から取得する取得工程と、
前記取得工程により取得された情報に基づいて、前記第２の記憶装置を使用するか否か判断する判断工程と、
前記判断工程で前記第２の記憶装置を使用すると判断した場合に、前記第１の記憶装置及び前記第２の記憶装置を用いてリビルドを開始するように制御する制御工程とを実行させるためのプログラム。
【手続補正２】
【補正対象書類名】明細書
【補正対象項目名】０００８
【補正方法】変更
【補正の内容】
【０００８】
本発明に係る情報処理装置は、第１の記憶装置及び第２の記憶装置に記憶制御装置を介して接続される情報処理装置であって、前記記憶制御装置をシングルモードからミラーリングモードへ移行させる指示を受け付ける受付手段と、前記受付手段が前記指示を受け付けた際に、前記記憶制御装置のリビルド機能をオフに設定する第１の設定手段と、前記第１の設定手段が前記記憶制御装置のリビルド機能をオフに設定した後に、前記記憶制御装置をシングルモードからミラーリングモードへ移行させる移行手段と、前記移行手段が前記記憶制御装置をシングルモードからミラーリングモードへ移行させたことに応じて、前記第２の記憶装置を使用するか否か判断するための情報を前記第２の記憶装置から取得する取得手段と、前記取得手段により取得された情報に基づいて、前記第２の記憶装置を使用するか否か判断する判断手段と、前記判断手段が前記第２の記憶装置を使用すると判断した場合に、前記第１の記憶装置及び前記第２の記憶装置を用いてリビルドを開始するように制御する制御手段とを有することを特徴とする。